【手続補正書】
【提出日】平成19年2月13日(2007.2.13)
【手続補正１】
【補正対象書類名】明細書
【補正対象項目名】特許請求の範囲
【補正方法】変更
【補正の内容】
【特許請求の範囲】
【請求項１】
初期位置を基準として光軸方向に移動可能な撮影レンズを有する光学装置において、
装置本体に加わった振動を検出する振動検出手段と、
この振動検出手段により検出された振動が閾値を超えたときに、前記撮影レンズを前記初期位置に復帰させる制御手段とを有することを特徴とする光学装置。
【請求項２】
前記撮影レンズとこの撮影レンズを駆動するための駆動部材とが、前記装置本体に前記閾値に相当する振動が作用した際に前記撮影レンズの前記駆動部材に対する移動を許容する構造を有した連結手段により連結されていることを特徴とする請求項１に記載の光学装置。
【請求項３】
前記駆動部材が、回転駆動されるスクリューネジ軸であり、
前記連結手段が、前記撮影レンズ側に取り付けられたラックであることを特徴とする請求項２に記載の光学装置。
【請求項４】
装置本体の振れを検出して像振れを防止するために撮影光学系内の光学素子を変位させる像振れ防止制御を行うことが可能であり、
前記振動検出手段を、前記像振れ防止制御を行うために振れを検出する手段と兼用したことを特徴とする請求項１から３のいずれかに記載の光学装置。
【請求項５】
前記制御手段は、前記振動検出手段により検出された振動が閾値を超える前の前記撮影レンズの位置を記憶しておき、
前記撮影レンズの初期位置への復帰駆動を行った後、この撮影レンズを前記記憶した位置に駆動することを特徴とする請求項１から４のいずれかに記載の光学装置。
【手続補正２】
【補正対象書類名】明細書
【補正対象項目名】０００８
【補正方法】変更
【補正の内容】
【０００８】
【課題を解決するための手段】
上記の課題を解決するために、本願発明では、初期位置を基準として光軸方向に移動可能な撮影レンズ（ズームレンズおよびフォーカスレンズの少なくとも一方）を有する光学装置において、装置本体に加わった振動を検出する振動検出手段と、この振動検出手段により検出された振動が閾値（所定レベル）を超えたときに、撮影レンズを初期位置に復帰させる制御手段とを設けている。
【手続補正３】
【補正対象書類名】明細書
【補正対象項目名】０００９
【補正方法】変更
【補正の内容】
【０００９】
すなわち、装置本体に閾値（所定レベル）を超える振動（衝撃的振動等）が加わって、例えば、撮影レンズを駆動するための駆動部材に対する撮影レンズの位置ずれ（光軸方向における位置ずれ）が生じたおそれがあるような場合には、撮影レンズを初期位置に戻し、その後の初期位置を基準とした撮影レンズの駆動を可能とすることにより、上記位置ずれによる光学系への影響（撮影光学系における画角やピントのずれ等）を防止している。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】変更
【補正の内容】
【００１１】
なお、振動検出手段により検出された振動が閾値を超える前の撮影レンズの位置を記憶しておき、上記撮影レンズの初期位置への復帰駆動を行った後、この撮影レンズを記憶した位置に駆動するようにすれば、大きな振動が加わった後、速やかに振動が加わる前と同じ状態で撮影等を続行することが可能となる。
【手続補正６】
【補正対象書類名】明細書
【補正対象項目名】００１３
【補正方法】変更
【補正の内容】
【００１３】
この図において、１は撮影光学系のズームレンズ（撮影レンズ）を駆動するズームレンズ駆動モータ、１２はズームレンズがズームリセット位置を通過したときの切り換わりを検出するズームレンズリセット用フォトインタラプタである。
【手続補正７】
【補正対象書類名】明細書
【補正対象項目名】００１４
【補正方法】変更
【補正の内容】
【００１４】
２は撮影光学系のフォーカスレンズ（撮影レンズ）を駆動するフォーカスレンズ駆動モータ、１３はフォーカスレンズがフォーカスリセット位置を通過したときの切り換わりを検出するフォーカスレンズリセット用フォトインタラプタである。
【手続補正８】
【補正対象書類名】明細書
【補正対象項目名】００１６
【補正方法】変更
【補正の内容】
【００１６】
７は光学式のズームファインダーを駆動するファインダー駆動モータ、１４はズームファインダーがファインダーリセット位置を通過したときの切り換わりを検出するファインダーリセット用フォトインタラプタである。
【手続補正９】
【補正対象書類名】明細書
【補正対象項目名】００２９
【補正方法】変更
【補正の内容】
【００２９】
図１において、２１はズームレンズを保持するズーム移動筒である。図７には、このズーム移動筒７１とズーム駆動モータ１との関係を示している。ズーム移動筒２１は、ガイドバー７４，７５によって光軸方向にのみ移動可能に支持されている。また、ズーム移動筒２１にはラック７３が取り付けられている。ラック７３は不図示のバネによってステッピングモータであるズーム駆動モータ１と一体になったスクリューネジ軸７２を挟む形でこのスクリューネジ軸７２に噛み合っており、モータ１が回転してスクリューネジ軸７２が回転すると、ラック７３がズーム移動筒２１およびズームレンズと一体となって光軸方向に移動する。
【手続補正１０】
【補正対象書類名】明細書
【補正対象項目名】００３０
【補正方法】変更
【補正の内容】
【００３０】
ズーム移動筒２１には遮光板部２１ａが形成されており、この遮光板部２１ａが、ズーム移動筒２１の移動によってズームリセット用フォトインタラプタ１２の投光部と受光部との間に出入りして投・受光部間を遮光した状態と遮光しない状態とになることにより、フォトインタラプタ１２の出力が変化する。そしてその出力をマイコン５が検知して、遮光した状態から遮光されない状態に切り換わった位置をズームリセット位置とする。
【手続補正１１】
【補正対象書類名】明細書
【補正対象項目名】００３１
【補正方法】変更
【補正の内容】
【００３１】
カメラに強い衝撃等の振動が加わった場合におけるズーム移動筒２１に取り付けられたラック７３とスクリューネジ軸７２との関係は、フォーカス移動筒２２に取り付けられたラック２３とスクリューネジ軸３１との関係と同様である。
【手続補正１２】
【補正対象書類名】明細書
【補正対象項目名】００３３
【補正方法】変更
【補正の内容】
【００３３】
撮影光学系と同様に、ファインダーズームレンズ８１を保持する移動筒には遮光板部８１ａが形成されており、この遮光板部８１ａが、移動筒の移動によってファインダーリセット用フォトインタラプタ１４の投光部と受光部との間に出入りして投・受光部間を遮光した状態と遮光しない状態とになることにより、フォトインタラプタ１４の出力が変化する。そしてその出力をマイコン５が検知して、遮光した状態から遮光されない状態に切り換わった位置をファインダーリセット位置とする。
【手続補正１３】
【補正対象書類名】明細書
【補正対象項目名】００３４
【補正方法】変更
【補正の内容】
【００３４】
このズームファインダーには、カメラに強い衝撃等の振動が加わった場合、ファインダーカム板とファインダ駆動モータ７との間の係合関係にずれが生じる可能性がある点で、フォーカス移動筒２２に取り付けられたラック２３とスクリューネジ軸３１との関係と同様の問題がある。
【手続補正１４】
【補正対象書類名】明細書
【補正対象項目名】００３８
【補正方法】変更
【補正の内容】
【００３８】
カメラに強い衝撃等の振動が加わった場合におけるホルダー９４に取り付けられたラック９５とスクリューネジ軸８ａとの関係は、フォーカス移動筒２２に取り付けられたラック２３とスクリューネジ軸３１との関係と同様である。
【手続補正１５】
【補正対象書類名】明細書
【補正対象項目名】００４２
【補正方法】変更
【補正の内容】
【００４２】
また、ズームファインダーとズームストロボについて、撮影光学系のズームレンズの移動に伴う画角変化と同様の画角変化を生じさせるための移動軌跡がマイコン５のメモリに記憶されている。このため、撮影光学系のズームレンズの移動に伴い、ズームファインダーとズームストロボは常にズームレンズの画角に合うようにマイコン５のメモリに記憶された移動軌跡に沿って駆動される。
【手続補正１６】
【補正対象書類名】明細書
【補正対象項目名】００４４
【補正方法】変更
【補正の内容】
【００４４】
この後、ステップ５６で、加速度センサー１０によりカメラに作用する振動の強さ（加速度）を検知する。この加速度センサー１０は振動の大きさ・強さを測定できるものならばなにを用いてもよく、例えば振動ジャイロを用いてもよい。また、カメラに搭載された像振れ防止用の防振装置に使われる振動センサーと兼用してもよい。これにより、カメラの部品点数を増加させることなく、後述するリセット機能を持たせることができる。
【手続補正１７】
【補正対象書類名】明細書
【補正対象項目名】００５２
【補正方法】変更
【補正の内容】
【００５２】
【発明の効果】
以上説明したように、本発明によれば、装置本体に閾値（所定レベル）を超える振動（衝撃的振動等）が加わって、例えば、光学素子を駆動する駆動部材に対する光学素子の位置ずれが生じたおそれがあるような場合には、光学素子を初期位置に戻し、その後の初期位置を基準とした光学素子の駆動を可能とするので、上記位置ずれによる光学系への影響（撮影光学系における画角やピントのずれ、光学ファインダーにおける撮影光学系とのズーム状態のずれおよびズームストロボの照射角の撮影光学系のズーム状態に対するずれ等）を確実に防止することができる。そして、本発明を、装置内における撮影光学系、光学ファインダーおよびズームストロボにそれぞれ適用することにより、大きな振動の影響によって撮影光学系と光学ファインダーとの間で画角の差が生じて撮影者の意図とは違う撮影が行われたり、ストロボ照射が撮影画面の全体にいきわたらなかったりすることを確実に防止することができる。
【手続補正１８】
【補正対象書類名】明細書
【補正対象項目名】００５３
【補正方法】変更
【補正の内容】
【００５３】
なお、検出振動が閾値（所定レベル）を超える前の光学素子の位置を記憶しておき、上記光学素子の初期位置への復帰駆動を行った後、この光学素子を記憶した位置に駆動するようにすれば、大きな振動が加わった後、速やかに振動が加わる前と同じ状態で撮影等を続行することができる。